(57)【要約】      （修正有）【課題】大きな波浪が襲来しても堤体が転倒することがなく、また、波力によって押されて堤体が滑動しても、堤体が元の位置に戻ることができる防波堤を提供する。【解決手段】スライド式防波堤１は、海底５を浚渫して平坦に造成した基礎面に土台２が設置してある。土台２は、中央部に溝型の収容部２０が形成されている。収容部２０の両側には張出部２１が延びており、この張出部２１は浚渫土砂などの埋め戻し土内に埋設されている。収容部２０には底部に車輪１６を設けた堤体１０が設置してあり、外力が堤体１０に作用すると堤体はそのエネルギーをスライド移動することによって運動エネルギーに変換し、堤体１０が転倒するのを防止し、防波堤機能を維持する。【選択図】図１
2015025324.tif 000002
【特許請求の範囲】
【請求項１】
断面が溝型の収容部を形成した土台に、収容部の幅より小さな幅の堤体が設置されており、その堤体の底面には転動体が設けてあり、土台の収容部には溝を横断して両端が溝の壁に固定されたガイドが設けてあり、このガイドは堤体を貫通するものであると共に、堤体とガイドの間には摩擦材が設けてあり、堤体が外力を受けて収容部内をスライドして移動する間に堤体が受ける外力エネルギーを消費させるようにしてあるスライド式防波堤。
【請求項２】
請求項１において、転動体が、車輪、ローラ、またはベアリングのいずれかであるスライド式防波堤。
【請求項３】
請求項１または２において、土台の溝内の底面を凹面とすると共に堤体底面を凹面に合致する凸面とし、ガイドが堤体底面の凹面に合わせて湾曲させてあり、外力を受けてスライド移動した堤体が重力によって凹面の中心に自動復帰するようにしたスライド式防波堤。
【発明の詳細な説明】
【技術分野】
【０００１】
防波堤などの海岸構造物に高波浪や津波の襲来による大きな波力が作用した際、堤体が水平方向にスライドすることによって波力を運動エネルギーに変換・吸収し、堤体が修復不可能なまでに破壊されるのを防止するようにした防波堤に関する。
【背景技術】
【０００２】
従来、海中に設置されたケ−ソン式防波堤は、基礎から天端まで一体の構造物であり、潮流や波浪、更には津波による転倒・滑動を抑止して安定性を確保するため、構造物の重量を増大させて底面マウンドとの間の摩擦力を大きくし、滑動力に抵抗するのが一般的であった。
【先行技術文献】
【特許文献】
【０００３】
【特許文献１】特開２０１１−８４８６８号公報
【特許文献２】特開２００４−１１６１３０号公報
【特許文献３】特開２０１３−１４９７２号公報
【発明の概要】
【発明が解決しようとする課題】
【０００４】
防波堤に対して、設計力以上の外力が作用すると、図５に示すように堤体に大きな水平力と揚圧力が作用して構造物としての安定性が低下し、波力等によって押されて転倒したり滑動したりすることがある。また、堤体前面のマウンドが洗掘によって崩壊するなどし、堤体が前方向に転倒するということがある。
このような状態になると、次々と襲来する波浪は転倒した堤体の上を通過し、防波堤によって減勢されない波浪が沿岸に到達して沿岸域の護岸を破壊するだけでなく、陸上部にまで達した波浪や津波は、構造物を破壊するなど物的損害を与えると共に、人の生命を奪うなど人的被害を引き起こすことになる。
そこで、本発明は大きな波浪が襲来しても堤体が転倒することがないようにし、また、波力によって押されて堤体が滑動しても、堤体が元の位置に戻ることができるようにするものである。
【課題を解決するための手段】
【０００５】
本発明は、連続する堤体の横断面において、断面が溝型の基礎内に、溝の幅より小さな幅の堤体が溝内に設置されており、その堤体底面が基礎面と接する面には移動の際にエネルギーを消費する移動体が設けてあり、溝を横断して両端が溝の壁に固定されたガイドが設けてあり、このガイドは堤体を貫通するものであると共に、堤体とガイドの間には摩擦材が設けてあり、堤体が溝内をスライドして移動する間に堤体が受け外力エネルギーを消費させるようにしてあるスライド式防波堤である。
更に、基礎底面を凹面とすると共に堤体底面を凹面に合致する凸面とし、水平移動した堤体が重力によって自動的に凹面の中心に自動復帰するようにしたスライド式防波堤である。
【０００６】
本発明は、巨大津波等による堤防等の海岸構造物の転倒や滑動によってマウンドから転落して転倒して防波堤としての機能を失うことを阻止するものである。
大重量の堤体が波力を受けてスライド移動することによって波力を運動エネルギーに変換して転倒を防止するものである。
【発明の効果】
【０００７】
堤体に作用する波浪による水平力が堤体をスライドさせることによって波力は運動エネルギー変換され、堤体に作用する波力は、堤体がスライド移動しながら受けることによって波浪が短時間に衝撃的に作用して堤体を転倒させるのを防止するものある。堤体が転倒することなくその高さを維持するものであるため、堤体が転倒させられて次々と襲う波浪が減衰されないままで沿岸に到達することを防止でき、大きな物的または人的被害が発生するのを防止することができる。
また、堤体をガイドが貫通しており、堤体と土台が一体構造となっているため、耐震性の大きな構造物とすることができる。
従来のマウンドの上にケーソン等を設置する形式の防波堤に比較し、マウンドを構築せず海底に溝型の土台を設置し、溝の内部にガイド部材で溝型の基礎に固定し、堤体を水平移動可能に設置したものであり、堤体構造物周囲の洗掘が起きず、長期間に渡って防波堤としての機能を発揮することができるので、土台を構築するための費用を長期間の使用で取り戻すことが可能であり、トータルのコストとしては、従来の防波堤と変わらぬコストパフォーマンスであるといえる。
【図面の簡単な説明】
【０００８】
【図１】本発明のスライド式防波堤の実施例の断面図。
【図２】本発明のスライド式防波堤の他の実施例の断面図。
【図３】基礎面を凹面としたスライド式防波堤の作用の説明図。
【図４】本発明のスライド式防波堤の施工工程図。
【図５】従来の転倒防止堤防の側面図。
【０００９】
実施例１
図１に示すように、スライド式防波堤１は、海底５を浚渫して平坦に造成した基礎面に土台２が設置してある。土台２は、中央部に溝型の収容部２０が形成されている。収容部２０の両側の下面からは張出部２１が左右に延びており、張出部２１の上に浚渫土砂などの埋め戻し土５１が盛られており、張出し部２１は土砂中に埋設されている。必要に応じて張出部２１に捨石を載置して土台２が転倒したり移動しないようにする。張出部２１の先端部には上方に突出する縁２２が設けてあり、埋め戻し土５１内部において移動に抵抗する抵抗体として作用し、土台２の移動を阻止するものである。
【００１０】
土台２は鉄筋コンクリート製であり、施工性を考慮して３〜５ｍの長さのユニットとして製造するものであり、製造工場から設置現場に運搬した複数のユニットを並べて順に土台２の収容部２０に沈設して防波堤とするものであり、堤体１０は土台２と同じ長さである。土台２の長手方向の中央部には控え２６が設けてあり、溝の壁体２５を補強するものであり、堤体１０がスライド移動して壁体２５に衝突したときの衝撃に対抗できるようするものである。控え２６は、ユニットが比較的長いものである場合は、中央部に加えて１．５〜２ｍ程度の間隔で複数設けて壁体２５を補強する。壁体２５には収容部２０内に沈積した砂を排出するためのスリットまたは穴からなる排出口２７が設けてあり、排出口２７の底面は海底面と一致するようにして設置する。
なお、土台２は、鉄筋コンクリート製に限られるものでなく、鋼製としてもよい。
【００１１】
溝の両側の壁体２５、２５のほぼ中間の高さには収容部２０を横断する鋼管からなるガイド４が固定してある。ガイド４の両端は、収容部２０の両側の壁体２５に固定されており、また、ガイド４の周囲には、堤体１０がスライド移動して壁体２５に衝突する際の衝撃を緩衝するゴム製等の緩衝材４０が固定してある。
【００１２】
収容部２０の内部には、スライドして移動することが可能な堤体１０が設置されている。堤体１０には貫通穴１５が形成してあり、この貫通穴１５にガイド４が挿入されている。堤体１０は、コンクリート製の中空の構造物であり、設置現場までは中空の状態で運搬され、沈設して設置された後に中空部に砂、土砂、砕石等の中埋め材３０を充填して重量を増し、上部にコンクリートを打設して蓋をする。
堤体１０とガイド４は摩擦材を介して接触するようにしてあり、堤体１０が収容部内をスライドして移動する際に移動の運動エネルギーを消費するようにしてある。
また、ガイド４は、堤体１０のスライドする方向をガイドすると共に、堤体１０が作用する水平力によって転倒するのを防止するものである。
【００１３】
堤体１０の底部には、転動体、例えば車輪１６が設けてあり、堤体１０が波浪による水平力を受けた際に、外力に抵抗するのではなく、重量物である堤体１０がスライドして収容部２０内を移動するようにしてある。車輪１６に代えて、ローラ、ベアリングなどでもよい。
車輪やベアリングは海水によって錆びることが予想されるので、軸受け部をシールしたものを使用するのが好ましいが、波浪によって堤体１０が前後に微小スライドを繰り返しているので、錆び付きによって巨大津波の襲来時にスライドしないということはなく、また、堤体１０自体が大重量であり錆びによるスライドに対する抵抗の増大は微小であり、無視できると考えられる。
【００１４】
巨大波浪や巨大津波の襲来によって堤体１０が水平力を受けて岸側にスライドさせられ、壁体２５まで移動することによって波力エネルギーを移動に要する運動エネルギーに変換して吸収され、堤体１０の転倒が回避される。また、この作用は返し波に対しても同様の機能を発揮することができる。
【００１５】
実施例２
図２に示す例は、基本的構造は、図１の実施例１と同じであるが土台２の収容部２０の表面をその中央部が最低部となる凹面としてある。また、堤体１０の底面は収容部２０の表面の凹面に合致する凸面としてあり、堤体１０のスライドがスムースに行われるように堤体１０の底部には車輪１６が設けてある。
堤体１０を貫通して設けてあるガイド４は、収容部２０の凹面に沿うように下向きに湾曲させてあり、堤体１０の貫通穴１５は同様に湾曲させてあり、堤体１０のスライド移動がガイド４によって円滑に行われるようにしてある。
【００１６】
巨大波浪や巨大津波の襲来によって堤体１０が水平力を受けて岸側にスライドさせられ、壁体２５まで移動することによって波力エネルギーを移動に要する運動エネルギーに変換して吸収することによって堤体１０の転倒を回避した後、堤体１０は、収容部２０の凹面がその中心向かって下がっていることからゆっくりと中心に向かって重力によって移動し、最終的に最下部である中心に停止することになる。
【００１７】
施工手順
本発明のスライド式防波堤の施工手順を図４を参照して説明する。
図４（１）に示すように、防波堤の設置位置の海底５を、防波堤を設置する土台２を収容できる幅を浚渫して基礎面を水平に均す。
次に、図４（２）に示すように、予め土台２の収容部２０の内部に堤体１０を設置したものを、堤体１０が水平移動しないように車輪１６をロックした状態で設置現場に運搬し、浚渫してある基礎面に沈設する。続いて、同様に隣接する土台２を沈設し所定の長さの防波堤とする。
図４（３）に示すように、沈設した土台の両脇を元の海底面まで埋め戻しを行う。
最後に、図４（４）に示すように堤体１０の中空部に土砂、砕石等で中詰土砂３０を充填し、堤体の頂部にコンクリートを打設して蓋を形成してスライド式防波堤１を完成させる。
【符号の説明】
【００１８】
１    スライド式防波堤
１０  堤体
１５  貫通穴
１６  車輪
２    土台
２０  収容部
２５  壁体
２６  控え
２７  排出口
４    ガイド
５    海底
【図１】
2015025324.tif 000003
【図２】
2015025324.tif 000004
【図３】
2015025324.tif 000005
【図４】
2015025324.tif 000006
【図５】
2015025324.tif 000007